(57)【要約】【課題】ガス漏れセンサーがガス漏れを検知した場合、換気扇を始動させ、なおかつそれを在宅か外出かによって報知先を変更する換気扇制御システムを提供すること。【解決手段】ガス漏れセンサー２が感知手段３によって、ガス漏れを検知した場合、換気扇１３を始動させ、報知手段１１を用いて報知する。報知する際、住人が不在の場合には、情報端末装置７を用いて、在宅モードなどの設定状態と、在宅しているかどうかを判断する判断手段９とが連動することによって、外出先の携帯端末装置１８へ報知することにより、宅内にガス漏れを知らせるための報知を行うだけでなく、住人が外出中でも自動的に動作させる換気扇１３を提供することで、より安全で快適な換気扇制御システムを提供することができる。【選択図】図１
2005293447.tif 000002
【特許請求の範囲】
【請求項１】
ガス漏れを検知するガス漏れセンサーと、前記ガス漏れセンサーがガス漏れを検知した場合に住人が在宅しているか不在であるかを判断して報知手段へ報知する判断手段とを備え、前記在／不在の判断に応じて報知方法を変える換気扇制御システム。
【請求項２】
住人の不在時に、ガス漏れセンサーがガス漏れを検知後、判断手段はガス漏れが検知されなくなった場合に報知手段へ報知する請求項１に記載の換気扇制御システム。
【請求項３】
ガス漏れセンサーによりガス漏れを検知する手順と、前記ガス漏れセンサーがガス漏れを検知した場合に住人が在宅しているか不在であるかを判断する手順と、前記在／不在の判断に応じて報知方法を変更する手順とを備えた換気扇制御システムの報知方法。
【請求項４】
請求項１〜２のいずれか１項記載の換気扇制御システムの手段の少なくとも一部をコンピューターに実行させるためのプログラム。
【発明の詳細な説明】
【技術分野】
【０００１】
本発明は、情報端末とネットワーク接続された換気扇制御システム、報知方法、及びプログラムに関するものである。
【背景技術】
【０００２】
従来、この種の換気扇制御システム、報知方法、及びプログラムとしては、ガス漏れ警報器の警報の種類に応じて換気扇の動作が適切に行われるように構成することにより、換気扇を動作させても爆発の危険性のない一酸化炭素濃度が所定値以上となった場合には換気扇が自動的に始動されて適切な換気が行われ、また、換気扇を動作させると爆発の危険性のあるガス漏れの際には換気扇が動作しないようにされるもの（特許文献１）などがある。
【０００３】
また、電源電圧の低下による誤動作を未然に防止できる自動換気扇を提供することを目的とする換気扇（特許文献２）がある。
【特許文献１】特開平８−１７８３７８号公報
【特許文献２】特開２０００−１６１７３３号公報
【発明の開示】
【発明が解決しようとする課題】
【０００４】
しかしながら、従来の換気扇装置には次のような問題があった。ガス器具等からのガス漏れは、もし漏れるようなことがある場合、人命に危険を及ぼす。これを避けるために、ガス漏れ検知器が報知しても室内の換気を行うために、手動で換気扇を運転させなければならなかった。また、ガス漏れセンサーがガス漏れを検知した場合に住人が在宅しているか不在であるかを判断して報知方法を変えるという発想は見あたらない。
【０００５】
本発明は、従来の課題を解決するもので、ガス漏れセンサーがガス漏れを検知した場合、換気扇を始動させ、報知手段へ報知したり、報知する際、家庭内に設置された情報端末の在宅モードなどにより、在宅しているかどうかを判断して、住人が外出中の場合には、外出先へ報知するなど報知方法を変更する換気扇制御システムを提供することを目的とする。
【課題を解決するための手段】
【０００６】
従来の課題を解決するために、本発明の換気扇制御システム、報知方法、及びプログラムは、ガス漏れセンサーがガス漏れを検知した場合に、住人が在宅しているか在宅しているか不在であるかを判断手段によって判断し、前記在／不在の判断に応じて報知方法を変えることを特徴とするものである。
【発明の効果】
【０００７】
本発明の換気扇制御システム、報知方法、及びプログラムは、ガス漏れを検知するガス漏れセンサーと、前記ガス漏れセンサーがガス漏れを検知した場合に住人が在宅しているか在宅しているか不在であるかを判断して報知手段へ報知する判断手段とを備え、前記在／不在の判断に応じて報知方法を変える換気扇制御システムである。
【０００８】
これによって、もし宅内でガス漏れが発生した場合、ガス漏れ検知機能を備えたガス漏れセンサーが、そのガス漏れしたという情報を、換気扇へ送信するので、有毒となるガスの換気を行い、更に宅内の情報端末装置や、外出中の住人の携帯端末装置の報知手段へガス漏れが発生したという報知を行う。またこの報知先を宅内か又は、宅外かを選択できることによって、住人はどこにいても宅内がガス漏れしたという情報をキャッチすることができ、迅速な対応をすることができるという、より安全で快適な換気扇制御システムを提供することができる。
【発明を実施するための最良の形態】
【０００９】
第１の発明は、ガス漏れを検知するガス漏れセンサーと、前記ガス漏れセンサーがガス漏れを検知した場合に住人が在宅しているか不在であるかを判断して報知手段へ報知する判断手段とを備え、前記在／不在の判断に応じて報知方法を変える換気扇制御システムを構築することができる。そして、もし宅内でガス漏れが発生した場合、ガス漏れ検知機能を備えたガス漏れセンサーが、そのガス漏れしたという情報を、換気扇へ送信することによって、有毒となるガスの換気を行い、更に宅内の情報端末装置や、外出中の住人の携帯端末装置の報知手段へガス漏れが発生したという報知を行う。またこの報知先を宅内か又は、宅外かを選択できる。これによって、住人はどこにいても宅内がガス漏れしたという情報をキャッチすることができ、迅速な対応をすることが可能となるシステムを構築することができる。
【００１０】
第２の発明は、第１の発明において、住人の不在時、ガス漏れセンサーがガス漏れを検知後、判断手段はガス漏れが検知されなくなった場合に報知手段へ報知する換気扇制御システムを構成したものである。そして、ガス漏れセンサーを持っているで、住人の外出時に、ガス漏れが検知されなくなったことを携帯端末装置などに報知し、住人は外出中であってもガス漏れ対応がなされたことを知るので安心できる。その住人が帰宅の際、ドアを開けてガス爆発するというようなことが起きない安全なシステムを構築することができる。
【００１１】
第３の発明は、ガス漏れセンサーによりガス漏れを検知する手順と、前記ガス漏れセンサーがガス漏れを検知した場合に住人が在宅しているか不在であるかを判断する手順と、前記在／不在の判断に応じて報知方法を変更する手順とを備えた換気扇制御システムの報知方法を構成したものである。そして、もし宅内でガス漏れが発生した場合、ガス漏れ検知機能を備えたガス漏れセンサーが、そのガス漏れしたという情報を、換気扇へ送信することによって、有毒となるガスの換気を行い、更に宅内の情報端末装置や、外出中の住人の携帯端末装置の報知手段へガス漏れが発生したという報知を行う。またこの報知先を宅内か又は、宅外かを選択できる。これによって、住人はどこにいても宅内がガス漏れしたという情報をキャッチすることができ、迅速な対応をすることが可能となる換気扇制御システムを用いて報知する方法を構築することができる。
【００１２】
第４の発明は、第１〜２の発明のいずれか１項記載の換気扇制御システムの手段の少なくとも一部をコンピューターで実行させるプログラムであるのでＣＰＵ（マイコン）、ＲＡＭ、ＲＯＭ、記憶装置、Ｉ／Ｏなどを備えた電気情報機器、コンピューター、サーバー等のハードリソースを協働させて、本発明の換気扇制御システムの一部あるいは全てを容易に実現することができる。また記録媒体に記録したり通信回線を用いてプログラムを配信したりすることでプログラムの配布やインストール作業が簡単にできる。
【００１３】
以下、本発明の実施の形態について、図面を参照しながら説明する。尚、本実施の形態によって本発明が限定されるものではない。
【００１４】
（実施の形態１）
図において、図１は構成ブロック図、図２はフローチャートである。
【００１５】
図１は換気扇制御システムの構成ブロック図である。図１において、１はガスメーター、２はガス漏れセンサー、３は感知手段、４はガス漏れセンサーの制御手段、５は遮断手段、６はガス漏れセンサーの送信手段、７は情報端末装置、８は情報端末装置の受信手段、９は判断手段、１０は情報端末装置の制御手段、１１は情報端末装置の報知手段、１２は情報端末装置の送信手段、１３は換気扇、１４は換気扇の受信手段、１５は換気扇の制御手段、１６は動作手段、１７は換気扇の送信手段、１８は携帯端末装置、１９は携帯端末装置の受信手段、２０は携帯端末装置の制御手段、２１は携帯端末装置の報知手段である。
【００１６】
次に図１を参照しながら図２のフローチャートで実施例を説明していく。
【００１７】
まず、ガス漏れが発生（図２のＳ０１）する。ガス漏れセンサー２を内蔵したガスメーター１は、ガス漏れセンサー２に備え付けられた感知手段３によってガスが漏れたという事実を感知（図２のＳ０２）する。感知手段３はガスが漏れたという情報を発信して、制御手段４を用いて（図２のＳ０３）、ガスを遮断するために遮断手段５によってガスメーターを遮断（図２のＳ０４）する。
【００１８】
次に、制御手段４は換気扇１３によって換気扇を動作させるために、送信手段６へ伝達（図２のＳ０５）された後、情報端末装置７へ送信する。ここで、情報端末装置７への送信方法は有線であっても、無線であっても構わない。
【００１９】
また、換気扇１３を遮断するために情報端末装置７を用いるのは、在宅モードであるか、外出モード（モードについては詳細を後述する）であるかによって報知手法を変えるので、その判断・制御を行うために情報端末装置７を経由する。
【００２０】
前記送信手段６は情報端末装置７の受信手段８へ、ガス漏れ発生情報を送信（図２のＳ０６）した後、情報端末装置７の受信手段８は判断手段９へ伝達（図２のＳ０７）を行う。その後、判断手段９によって、「在宅モード」であるかどうかを判断（図２のＳ０８）する。前記結果によって、もし住人が外出中の場合である外出モード（在宅警戒モードでない）では、ガス漏れ情報を外出先の携帯端末装置１８へ報知、在宅であれば（在宅警戒モード）情報端末装置７によって直接報知する。
【００２１】
ここで言う、在宅モード／外出モードとは、在宅警戒モードや、外出警戒モードなどのセキュリティ機能を搭載した家庭用情報端末装置に搭載された機能の一部のことであり、これらは一例であることをここで断っておく。
【００２２】
詳細すると、判断手段９は住人が在宅していると判断した時点で、制御手段１０を用いて、報知手段１１により報知（図２のＳ０９）を行い、一方で、判断手段９から伝達された制御手段１０は送信手段１２を用いて、換気扇１３へガス漏れ情報の送信（図２のＳ１０）を行う。換気扇１３の受信手段１４によって受信されたガス漏れ情報は制御手段１５へ伝達（図２のＳ１１）された後、制御手段１５は換気扇１３を運転させるように、動作手段１６へ送信（図２のＳ１２）を行い、換気扇１３を動作させる。
【００２３】
一方、判断手段９は住人が不在（外出モード）であると判断した時には、Ｓ１０〜Ｓ１２と同様（図２のＳ１３）のステップを踏む。在宅か不在かを判断する実現方法としては、情報端末装置１８において、ボタンなどの操作手段から、在宅モードか、外出モードかを操作でき、在宅モードに設定した場合には「１」というフラグを立てたり、外出モードに設定した場合には「０」というフラグを立てたりすることによって情報端末装置１８の判断手段９が判断を行う。
【００２４】
また、住人の不在時の場合において、ガス漏れセンサー２がガス漏れを検知後、判断手段９はガス漏れが検知されなくなったことを報知手段１１または２１へ報知することも行う。これによって、住人は外出中であってもガス漏れ対応がなされたことを知るので安心でき、帰宅の際にガス爆発などを起こることを気にすることなくドアの開閉を行うことが可能となる。
【００２５】
その後、動作手段１６によって換気扇１３を動作させた旨を、送信手段１７によって情報端末装置１８へ送信（図２のＳ１４）を行う。情報端末装置１８内で受信手段１９はガス漏れ情報と換気扇運転情報の２つの情報を送信手段１７から受信（図２のＳ１５）する。そして、受信手段１９は制御手段２０に伝達を行い、制御手段２０は報知手段２１にて報知するよう指示（図２のＳ１６）を行う。また、上記２つの情報の内、片方だけしか受信しなかった場合、情報端末装置１８の報知手段２１にて報知する。例えば、ガス漏れが発生したのに、換気扇が動作しないなどの情報を伝えることなどが考えられる。
【００２６】
また図１で情報端末装置７から換気扇１３を介して携帯端末装置１８へ送信しているが、情報端末装置７の送信手段１２から携帯端末１８の受信手段１９へガス漏れしたという情報を直接送信してもよい。
【００２７】
ここで、前述した報知手段１１や報知手段２１による報知としては、図３に示すように、例えば、スピーカーなどの音声出力手段を用いて、ガス漏れが発生したという情報と、それに伴い、換気扇１３を作動させたという情報を音声によって案内したり、液晶などの表示装置を備えた表示手段を用いて、ガス漏れが発生したという情報と、それに伴い、換気扇１３を作動させたという情報を表示によってビジュアル的に案内する。
【００２８】
また音声出力手段と表示手段の両方兼ね備えた情報端末装置の場合には、音声案内、表示案内の両方を用いて宅内の情報端末装置７、または、図４の様に住人の外出先の携帯端末装置１８に報知することも可能である。
【００２９】
以上より、本発明の換気扇制御システムは、ガス漏れを検知するガス漏れセンサー２と、前記ガス漏れセンサー２がガス漏れを検知した場合に住人が在宅しているか不在であるかを判断して報知手段１１または２１へ報知する判断手段９とを備え、前記在／不在の判断に応じて報知方法を変える換気扇制御システムである。
【００３０】
これによって、人命にかかわる有毒なガスが発生した場合に、ガス漏れ検知手段によって、宅内にガス漏れを知らせるための報知を行うだけでなく、情報端末装置１８において、ボタンなどの操作手段から、在宅モードか、外出モードかを操作でき、どちらかのフラグを立てたりすることによって、もし住人が外出中でも自動的に動作させる換気扇１３を提供することで、より安全で快適な換気扇制御システム・方法を構築することができる。
なお、本実施の形態１において、情報端末装置において、ボタンなどの操作手段による在宅モード／外出モードで判断したが、これに限らず、赤外線センサなどによる人感センサや留守番電話の「留守録モード」などを用いても良い。
【００３１】
なお、本発明は換気扇で説明したが、これに限らず空気を入れ換える装置であれば、たとえば換気機能を備えた空調機器であってもよい。
【００３２】
また、情報端末装置は、ＴＶや給湯機などのリモコンやパソコンであってもよい。携帯端末装置は、携帯電話機器やページャやノートＰＣやＰＤＡであってもよい。
【００３３】
尚、本実施の形態で説明した手段は、ＣＰＵ（またはマイコン）、ＲＡＭ、ＲＯＭ、記憶・記録装置、Ｉ／Ｏなどを備えた電気・情報機器、コンピューター、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００３４】
以上のように、本発明にかかる情報端末とネットワーク接続された換気扇制御システムは、ガス漏れセンサーがガス漏れを検知するガス漏れセンサーと、前記ガス漏れセンサーがガス漏れを検知した場合に住人が在宅しているかどうかを判断する判断手段とを備え、前記在／不在の判断に応じて報知方法を変える換気扇制御システムである。これによって、人命にかかわる有毒なガスが発生した場合に、ガス漏れ検知手段によって、宅内にガス漏れを知らせるための報知を行うだけでなく、もし住人が外出中でも自動的に動作させる換気扇を提供することで、より安全で快適な換気扇制御システム、報知方法、及びプログラムを提供することができる。
【００３５】
また、ガス漏れセンサー以外に、空気の異常を検知するセンサーを用いて換気扇制御システム、報知方法、及びプログラムを提供することができる。たとえば、一酸化炭素や二酸化炭素センサーなどの有毒ガスセンサーにも利用できる。
【図面の簡単な説明】
【００３６】
【図１】実施の形態１における換気扇制御システムの構成ブロック図
【図２】実施の形態１における換気扇制御システムのフローチャート
【図３】実施の形態１における報知手段を使った報知方法の図
【図４】実施の形態１における携帯端末装置への通知方法の図
【符号の説明】
【００３７】
１  ガスメーター
２  ガス漏れセンサー
３  感知手段
４  ガス漏れセンサーの制御手段
５  遮断手段
６  ガス漏れセンサーの送信手段
７  情報端末装置
８  情報端末装置の受信手段
９  判断手段
１０  情報端末装置の制御手段
１１  情報端末装置の報知手段
１２  情報端末装置の送信手段
１３  換気扇
１４  換気扇の受信手段
１５  換気扇の制御手段
１６  動作手段
１７  換気扇の送信手段
１８  携帯端末装置
１９  携帯端末装置の受信手段
２０  携帯端末装置の制御手段
２１  携帯端末装置の報知手段
【図１】
2005293447.tif 000003
【図２】
2005293447.tif 000004
【図３】
2005293447.tif 000005
【図４】
2005293447.tif 000006